(57)【要約】  １つ以上の物品を保持する容器は、容器の内部の周囲に少なくとも部分的に延在する複数のパネルを備える。複数のパネルは、フロントパネルと、バックパネルと、少なくとも１つのサイドパネルと、ボトムパネルと、複数のパネルのうちの１つのパネルに分離可能につながっている仕切りパネルとを含む。仕切りパネルは、容器の内部に区画を画定するように複数のパネルのうちの上記パネルに対して枢動可能である。【選択図】図４
2021533042.tif 000002
【特許請求の範囲】
【請求項１】
１つ以上の物品を保持する容器であって、
前記容器の内部の周囲に少なくとも部分的に延在する複数のパネルであって、フロントパネルと、バックパネルと、少なくとも１つのサイドパネルと、ボトムパネルと、該複数のパネルのうちの１つのパネルに分離可能につながっている仕切りパネルとを含む、複数のパネル、
を備え、
前記仕切りパネルは、前記容器の前記内部に区画を画定するように前記複数のパネルのうちの前記パネルに対して枢動可能である、容器。
【請求項２】
前記仕切りパネルは、該仕切りパネルが前記複数のパネルのうちの前記パネルと少なくとも部分的に対面接触する第１の位置と、該仕切りパネルが前記複数のパネルのうちの前記パネルから間隔を空けて配置される第２の位置との間で位置を変えることができる、請求項１に記載の容器。
【請求項３】
前記複数のパネルのうちの前記パネルは前記フロントパネルである、請求項２に記載の容器。
【請求項４】
前記仕切りパネルは、前記第２の位置で平坦形態を有する、請求項１に記載の容器。
【請求項５】
前記仕切りパネルは第１の仕切りパネルであり、前記複数のパネルのうちの前記パネルは前記フロントパネルであり、前記区画は、前記容器の第１の端部における第１の区画であり、前記容器は、前記バックパネルに分離可能につながっているとともに、前記容器の第２の端部において前記容器の前記内部に第２の区画を画定するように前記バックパネルに対して枢動可能である、第２の仕切りパネルをさらに備える、請求項２に記載の容器。
【請求項６】
前記仕切りパネルは前記ボトムパネルにおいて枢動可能である、請求項１に記載の容器。
【請求項７】
遠位端部フラップが前記仕切りパネルに折り曲げ可能に取り付けられており、該遠位端部フラップは前記ボトムパネルに取り付けられる、請求項６に記載の容器。
【請求項８】
前記複数のパネルのそれぞれのパネルに折り曲げ可能につながっている複数のコーナーパネルをさらに備える、請求項１に記載の容器。
【請求項９】
前記複数のコーナーパネルは、前記仕切りパネルに折り曲げ可能につながっている少なくとも１つの仕切りコーナーパネルを含む、請求項８に記載の容器。
【請求項１０】
前記区画が前記容器の前記内部に画定されるとき、前記少なくとも１つの仕切りコーナーパネルは、前記仕切りパネルに対して斜めに配置される、請求項９に記載の容器。
【請求項１１】
前記複数のコーナーパネルは、前記フロントパネルに折り曲げ可能につながっている少なくとも１つのフロントコーナーパネルをさらに含む、請求項１０に記載の容器。
【請求項１２】
前記区画が前記容器の前記内部に画定されるとき、前記少なくとも１つのフロントコーナーパネルは、前記複数のパネルのうちの前記パネルに対して斜めに配置される、請求項１１に記載の容器。
【請求項１３】
前記少なくとも１つのサイドパネルは第１のサイドパネルであり、前記少なくとも１つのサイドパネルは第２のサイドパネルをさらに含み、前記少なくとも１つのフロントコーナーパネルは、前記フロントパネルに折り曲げ可能につながっている第１のフロントコーナーパネルであり、前記少なくとも１つのフロントコーナーパネルは、前記フロントパネルに折り曲げ可能につながっている第２のフロントコーナーパネルをさらに含み、前記少なくとも１つの仕切りコーナーパネルは、前記仕切りパネルに折り曲げ可能につながっている第１の仕切りコーナーパネルであり、前記少なくとも１つの仕切りコーナーパネルは、前記仕切りパネルに折り曲げ可能につながっている第２の仕切りコーナーパネルをさらに含む、請求項１２に記載の容器。
【請求項１４】
前記複数のパネルのそれぞれのパネルに折り曲げ可能につながっている複数の端部フラップをさらに備える、請求項１に記載の容器。
【請求項１５】
前記複数の端部フラップは、前記フロントパネルに折り曲げ可能につながっているとともに、前記少なくとも１つのサイドパネルと少なくとも部分的に対面接触する、少なくとも１つのフロント端部フラップを含む、請求項１４に記載の容器。
【請求項１６】
前記複数の端部フラップは、前記仕切りパネルに折り曲げ可能につながっているとともに、前記少なくとも１つのフロント端部フラップと少なくとも部分的に対面接触する、少なくとも１つの仕切り端部フラップをさらに含む、請求項１５に記載の容器。
【請求項１７】
前記少なくとも１つのサイドパネルは、該少なくとも１つのサイドパネルの少なくとも１つの端部分を画定する斜め折り線を含む、請求項１に記載の容器。
【請求項１８】
前記容器は、前記少なくとも１つのサイドパネルの前記少なくとも１つの端部分が、前記容器の前記内部を縮小するように、前記少なくとも１つのサイドパネルの隣接する部分と少なくとも部分的に対面接触するように折り曲げられる、折り畳み形態と、前記少なくとも１つのサイドパネルが前記容器の前記内部を拡張するように前記ボトムパネルに対して位置決めされる、起立形態との間で形態を変えることができる、請求項１７に記載の容器。
【請求項１９】
前記仕切りパネルは第１の仕切りパネルであり、前記複数のパネルのうちの前記パネルは前記フロントパネルであり、前記区画は前記容器の第１の端部における第１の区画であり、前記容器は、前記バックパネルに分離可能につながっているとともに、前記容器の第２の端部において前記容器の前記内部に第２の区画を画定するように前記バックパネルに対して枢動可能な、第２の仕切りパネルをさらに備える、請求項１７に記載の容器。
【請求項２０】
前記フロントパネル、前記バックパネル、前記少なくとも１つのサイドパネル及び前記ボトムパネルは、トレーを形成し、前記容器は、該トレーにヒンジ式につながっている蓋をさらに備える、請求項１に記載の容器。
【請求項２１】
前記蓋は、前記トレーに折り曲げ可能につながった、トップパネル、少なくとも１つの蓋サイドパネル、蓋フロントパネル及び蓋バックパネルを備える、請求項２０に記載の容器。
【請求項２２】
前記容器は、前記蓋が該トレーの上方に持ち上げられた開放形態と、前記蓋が前記トレーと係合する閉鎖形態との間で形態を変えることができる、請求項２０に記載の容器。
【請求項２３】
１つ以上の物品を保持する容器を形成するブランクであって、
該ブランクから形成された前記容器の内部の周囲に少なくとも部分的に延在する複数のパネルであって、フロントパネルと、バックパネルと、少なくとも１つのサイドパネルと、ボトムパネルと、該複数のパネルのうちの１つのパネルに分離可能につながっている仕切りパネルとを含む、複数のパネル、
を備え、
前記仕切りパネルは、該ブランクから形成された前記容器の前記内部に区画を画定するように前記複数のパネルのうちの前記パネルに対して枢動可能であるものである、ブランク。
【請求項２４】
前記複数のパネルのうちの前記パネルは前記フロントパネルである、請求項２３に記載のブランク。
【請求項２５】
前記仕切りパネルは第１の仕切りパネルであり、前記複数のパネルのうちの前記パネルは前記フロントパネルであり、前記区画は、前記ブランクから形成された前記容器における第１の区画であり、前記ブランクは、前記バックパネルに分離可能につながっているとともに、前記ブランクから形成された前記容器の前記内部に第２の区画を画定するように前記バックパネルに対して枢動可能であるものである、第２の仕切りパネルをさらに備える、請求項２３に記載のブランク。
【請求項２６】
遠位端部フラップが前記仕切りパネルに折り曲げ可能に取り付けられており、該遠位端部フラップは前記ボトムパネルに取り付けられる、請求項２３に記載のブランク。
【請求項２７】
前記複数のパネルのそれぞれのパネルに折り曲げ可能につながっている複数のコーナーパネルをさらに備える、請求項２３に記載のブランク。
【請求項２８】
前記複数のコーナーパネルは、前記仕切りパネルに折り曲げ可能につながっている少なくとも１つの仕切りコーナーパネルを含む、請求項２７に記載のブランク。
【請求項２９】
前記複数のコーナーパネルは、前記フロントパネルに折り曲げ可能につながっている少なくとも１つのフロントコーナーパネルをさらに含む、請求項２８に記載のブランク。
【請求項３０】
前記少なくとも１つのサイドパネルは第１のサイドパネルであり、前記少なくとも１つのサイドパネルは第２のサイドパネルをさらに含み、前記少なくとも１つのフロントコーナーパネルは、前記フロントパネルに折り曲げ可能につながっている第１のフロントコーナーパネルであり、前記少なくとも１つのフロントコーナーパネルは、前記フロントパネルに折り曲げ可能につながっている第２のフロントコーナーパネルをさらに含み、前記少なくとも１つの仕切りコーナーパネルは、前記仕切りパネルに折り曲げ可能につながっている第１の仕切りコーナーパネルであり、前記少なくとも１つの仕切りコーナーパネルは、前記仕切りパネルに折り曲げ可能につながっている第２の仕切りコーナーパネルをさらに含む、請求項２９に記載のブランク。
【請求項３１】
前記複数のパネルのそれぞれのパネルに折り曲げ可能につながっている複数の端部フラップをさらに備える、請求項２３に記載のブランク。
【請求項３２】
前記複数の端部フラップは、前記フロントパネルに折り曲げ可能につながっている少なくとも１つのフロント端部フラップを含む、請求項３１に記載のブランク。
【請求項３３】
前記複数の端部フラップは、前記仕切りパネルに折り曲げ可能につながっているとともに、前記容器が前記ブランクから形成されるときに前記少なくとも１つの端部フラップと少なくとも部分的に対面接触するように位置決めされるものである、少なくとも１つの仕切り端部フラップをさらに含む、請求項３２に記載のブランク。
【請求項３４】
前記少なくとも１つのサイドパネルは、該少なくとも１つのサイドパネルの少なくとも１つの端部分を画定する斜め折り線を含む、請求項２３に記載のブランク。
【請求項３５】
前記仕切りパネルは第１の仕切りパネルであり、前記複数のパネルのうちの前記パネルは前記フロントパネルであり、前記区画は、前記ブランクから形成された前記容器の第１の端部における第１の区画であり、前記容器は、前記バックパネルに分離可能につながっているとともに、前記ブランクから形成された前記容器の第２の端部において前記ブランクから形成された前記容器の前記内部に第２の区画を画定するように前記バックパネルに対して枢動可能な、第２の仕切りパネルをさらに備える、請求項３４に記載のブランク。
【請求項３６】
前記フロントパネル、前記バックパネル、前記少なくとも１つのサイドパネル及び前記ボトムパネルは、前記ブランクのトレー部分を形成し、該ブランクは、前記トレー部分にヒンジ式につながっている蓋部分をさらに備える、請求項２３に記載のブランク。
【請求項３７】
前記蓋部分は、前記トレー部分に折り曲げ可能につながった、トップパネル、少なくとも１つの蓋サイドパネル、蓋フロントパネル及び蓋バックパネルを備える、請求項３６に記載のブランク。
【請求項３８】
１つ以上の物品を保持する容器を形成する方法であって、
フロントパネルと、バックパネルと、少なくとも１つのサイドパネルと、ボトムパネルと、複数のパネルのうちの１つのパネルに分離可能につながっている仕切りパネルとを含む該複数のパネルを備えるブランクを取得することと、
少なくとも部分的に前記容器の内部の周囲で前記複数のパネルを折り曲げることと、
前記仕切りパネルが前記容器の前記内部に区画を画定するように前記複数のパネルのうちの前記パネルに対して枢動可能であるように、該仕切りパネルを位置決めすることと、
を含む、方法。
【請求項３９】
前記仕切りパネルは、該仕切りパネルが前記複数のパネルのうちの前記パネルと少なくとも部分的に対面接触する第１の位置と、該仕切りパネルが前記複数のパネルのうちの前記パネルから間隔を空けて配置される第２の位置との間で位置を変えることができる、請求項３８に記載の方法。
【請求項４０】
前記複数のパネルのうちの前記パネルは前記フロントパネルである、請求項３９に記載の方法。
【請求項４１】
前記仕切りパネルは、前記第２の位置で平坦形態を有する、請求項３８に記載の方法。
【請求項４２】
前記仕切りパネルは第１の仕切りパネルであり、前記複数のパネルのうちの前記パネルは前記フロントパネルであり、前記区画は、前記容器の第１の端部における第１の区画であり、前記容器は、前記バックパネルに分離可能につながっているとともに、前記容器の第２の端部において前記容器の前記内部に第２の区画を画定するように前記バックパネルに対して枢動可能である、第２の仕切りパネルをさらに備える、請求項３９に記載の方法。
【請求項４３】
前記仕切りパネルは前記ボトムパネルにおいて枢動可能である、請求項３８に記載の方法。
【請求項４４】
遠位端部フラップが前記仕切りパネルに折り曲げ可能に取り付けられており、該遠位端部フラップは前記ボトムパネルに取り付けられる、請求項４３に記載の方法。
【請求項４５】
前記複数のパネルのそれぞれのパネルに折り曲げ可能につながっている複数のコーナーパネルをさらに備える、請求項３８に記載の方法。
【請求項４６】
前記複数のコーナーパネルは、前記仕切りパネルに折り曲げ可能につながっている少なくとも１つの仕切りコーナーパネルを含む、請求項４５に記載の方法。
【請求項４７】
前記区画が前記容器の前記内部に画定されるとき、前記少なくとも１つの仕切りコーナーパネルは、前記仕切りパネルに対して斜めに配置される、請求項４６に記載の方法。
【請求項４８】
前記複数のコーナーパネルは、前記フロントパネルに折り曲げ可能につながっている少なくとも１つのフロントコーナーパネルをさらに含む、請求項４７に記載の方法。
【請求項４９】
前記区画が前記容器の前記内部に画定されるとき、前記少なくとも１つのフロントコーナーパネルは、前記複数のパネルのうちの前記パネルに対して斜めに配置される、請求項４８に記載の方法。
【請求項５０】
前記少なくとも１つのサイドパネルは第１のサイドパネルであり、前記少なくとも１つのサイドパネルは第２のサイドパネルをさらに含み、前記少なくとも１つのフロントコーナーパネルは、前記フロントパネルに折り曲げ可能につながっている第１のフロントコーナーパネルであり、前記少なくとも１つのフロントコーナーパネルは、前記フロントパネルに折り曲げ可能につながっている第２のフロントコーナーパネルをさらに含み、前記少なくとも１つの仕切りコーナーパネルは、前記仕切りパネルに折り曲げ可能につながっている第１の仕切りコーナーパネルであり、前記少なくとも１つの仕切りコーナーパネルは、前記仕切りパネルに折り曲げ可能につながっている第２の仕切りコーナーパネルをさらに含む、請求項４９に記載の方法。
【請求項５１】
前記複数のパネルのそれぞれのパネルに折り曲げ可能につながっている複数の端部フラップをさらに備える、請求項３８に記載の方法。
【請求項５２】
前記複数の端部フラップは、前記フロントパネルに折り曲げ可能につながっているとともに、前記少なくとも１つのサイドパネルと少なくとも部分的に対面接触する、少なくとも１つのフロント端部フラップを含む、請求項５１に記載の方法。
【請求項５３】
前記複数の端部フラップは、前記仕切りパネルに折り曲げ可能につながっているとともに、前記少なくとも１つのフロント端部フラップと少なくとも部分的に対面接触する、少なくとも１つの仕切り端部フラップをさらに含む、請求項５２に記載の方法。
【請求項５４】
前記少なくとも１つのサイドパネルは、前記少なくとも１つのサイドパネルの少なくとも１つの端部分を画定する斜め折り線を含む、請求項３８に記載の方法。
【請求項５５】
前記容器は、前記少なくとも１つのサイドパネルの前記少なくとも１つの端部分が、前記容器の前記内部を縮小するように、前記少なくとも１つのサイドパネルの隣接する部分と少なくとも部分的に対面接触するように折り曲げられる、折り畳み形態と、前記少なくとも１つのサイドパネルが前記容器の前記内部を拡張するように前記ボトムパネルに対して位置決めされる、起立形態との間で形態を変えることができる、請求項５４に記載の方法。
【請求項５６】
前記仕切りパネルは第１の仕切りパネルであり、前記複数のパネルのうちの前記パネルは前記フロントパネルであり、前記区画は前記容器の第１の端部における第１の区画であり、前記容器は、前記バックパネルに分離可能につながっているとともに、前記容器の第２の端部において前記容器の前記内部に第２の区画を画定するように前記バックパネルに対して枢動可能な、第２の仕切りパネルをさらに備える、請求項５４に記載の方法。
【請求項５７】
前記フロントパネル、前記バックパネル、前記少なくとも１つのサイドパネル及び前記ボトムパネルは、トレーを形成し、前記容器は、該トレーにヒンジ式につながっている蓋をさらに備える、請求項３８に記載の方法。
【請求項５８】
前記蓋は、前記トレーに折り曲げ可能につながった、トップパネル、少なくとも１つの蓋サイドパネル、蓋フロントパネル及び蓋バックパネルを備える、請求項５７に記載の方法。
【請求項５９】
前記容器は、前記蓋が該トレーの上方に持ち上げられた開放形態と、前記蓋が前記トレーと係合する閉鎖形態との間で形態を変えることができる、請求項５８に記載の方法。
【発明の詳細な説明】
【技術分野】
【０００１】
［関連出願の相互参照］
本願は、２０１８年８月６日付けで出願された米国仮特許出願第６２／７１４，９７６号の利益を主張する。
【０００２】
［参照による援用］
２０１８年８月６日付けで出願された米国仮特許出願第６２／７１４，９７６号の開示の全体が本明細書に提示されているかのように、あらゆる目的で引用することにより本明細書の一部をなす。
【０００３】
本開示は、包括的には、少なくとも１つの物品を保持する容器に関する。１つの実施の形態では、本開示は、少なくとも１つの物品用の付属品を保持する少なくとも１つの区画を備える容器に関する。
【発明の概要】
【０００４】
本開示の１つの態様によれば、１つ以上の物品を保持する容器は、該容器の内部の周囲に少なくとも部分的に延在する複数のパネルを備える。該複数のパネルは、フロントパネルと、バックパネルと、少なくとも１つのサイドパネルと、ボトムパネルと、該複数のパネルのうちの１つのパネルに分離可能につながっている仕切りパネルとを含む。前記仕切りパネルは、前記容器の前記内部に区画を画定するように前記複数のパネルのうちの前記パネルに対して枢動可能である。
【０００５】
本開示の別の態様によれば、１つ以上の物品を保持する容器を形成するブランクは、該ブランクから形成された前記容器の内部の周囲に少なくとも部分的に延在する複数のパネルを備える。該複数のパネルは、フロントパネルと、バックパネルと、少なくとも１つのサイドパネルと、ボトムパネルと、該複数のパネルのうちの１つのパネルに分離可能につながっている仕切りパネルとを含む。前記仕切りパネルは、前記ブランクから形成された前記容器の前記内部に仕切りを画定するように前記複数のパネルのうちの前記パネルに対して枢動可能である。
【０００６】
本開示の別の態様によれば、１つ以上の物品を保持する容器を形成する方法は、フロントパネルと、バックパネルと、少なくとも１つのサイドパネルと、ボトムパネルと、前記複数のパネルのうちの１つのパネルに分離可能につながっている仕切りパネルとを含む複数のパネルを備えるブランクを取得することを含む。該方法は、少なくとも部分的に前記容器の内部の周囲で前記複数のパネルを折り曲げることと、前記仕切りパネルが前記容器の前記内部に区画を画定するように前記複数のパネルのうちの前記パネルに対して枢動可能であるように、該仕切りパネルを位置決めすることとを含む。
【０００７】
当業者は、以下で列挙される図面を参照して実施形態の以下の詳細な説明を読むことによって、上記の利点、並びに種々の更なる実施形態の他の利点及び利益を理解するであろう。個々に、また様々な組合せで与えられる上述の態様が本開示の範囲内にある。
【０００８】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【０００９】
【図１】本開示の第１の例示的な実施形態による容器を形成するブランクの外面の平面図である。
【図２】図１のブランクの部分的折り曲げ形態の平面図である。
【図３】図１のブランクから形成されかつ第１の形態にある容器の斜視図である。
【図４】第２の形態にある図２の容器の斜視図である。
【図５】本開示の第２の例示的な実施形態による容器を形成するブランクの外面の平面図である。
【図６】本開示の第２の例示的な実施形態による第１の形態にある図５のブランクから形成された容器の斜視図である。
【図７】第２の形態にある図６の容器の斜視図である。
【図８】本開示の第３の例示的な実施形態による容器を形成するブランクの外面の平面図である。
【図９】本開示の第３の例示的な実施形態による第１の形態にある図８のブランクから形成された容器の斜視図である。
【図１０】第２の形態にある図９の容器の斜視図である。
【図１１】本開示の第４の例示的な実施形態による容器を形成するブランクの外面の平面図である。
【図１２】図１１のブランクの部分的折り曲げの第１の連続平面図である。
【図１３】図１２のブランクの部分的折り曲げの第２の連続平面図である。
【図１４】本開示の第４の例示的な実施形態による、折り畳み配置にある、図１１のブランクから形成された容器の平面図である。
【図１５】起立配置にあるとともに第１の形態にある図１４の容器の斜視図である。
【図１６】第２の形態にある図１５の容器の斜視図である。
【図１７】本開示の第５の例示的な実施形態による容器を形成するブランクの外面の平面図である。
【図１８】本開示の第５の例示的な実施形態による第１の形態にある図１７のブランクから形成された容器の斜視図である。
【図１９】第２の形態にある図１８の容器の斜視図である。
【図２０】本開示の第６の例示的な実施形態による容器を形成するブランクの外面の平面図である。
【図２１】本開示の第６の例示的な実施形態による、開放配置にあるとともに第１の形態にある、図２０のブランクから形成された容器の斜視図である。
【図２２】第２の形態にある図２１の容器の斜視図である。
【図２３】閉鎖配置にある図２１の容器の斜視図である。
【発明を実施するための形態】
【００１０】
対応する部分は、図面を通して対応する参照符号によって示されている。
【００１１】
本開示による容器は、多くの異なる形状の容器に適応することができる。本明細書において、「下側」、「ボトム／底部」、「上側」、「トップ／頂部」、「フロント／前」及び「バック／後」という用語は、完全に組み立てられた容器に関連して決定される向きを示す。本明細書に記載するように、容器は、複数の重なり合うパネル、部分及び／又は端部フラップによって形成することができる。こうしたパネル、部分及び／又は端部フラップは、本開示から逸脱することなく、互いに対して相対的な用語、例えば、「第１の」、「第２の」、「第３の」等で、順序的に又は非順序的に言及して示す場合がある。
【００１２】
本開示の第１の例示的な実施形態によれば、図１は、容器５（図３）を形成するブランク３の外面１を示し、容器５を概してトレーと称することができるように、容器５は概して開放した頂部７を有する。容器５は、異なる構成、例えば、いくつか挙げるとボウル、皿、プレート、箱又はカートンの構成を有することができることが理解されよう。
【００１３】
容器５は、食品等、例えば、個別の部分で提供することができる冷凍食品又は非冷凍食品、例えば、チキンナゲット、フレンチフライ、オニオンリング、モッツァレラスティック、ポテトチップ、ポップコーン、他のフィンガーフード等、１つ以上の物品を保持するために有用であり得る。実施形態では、顧客に提供するために、容器５内に、食品及び／又は非食品を含むことができる他のタイプの物品を配置することができる。こうした製品は、追加の包装に入れた後、容器５内に配置することができる。本明細書においてさらに記載するように、容器５は、区画１１を含み、その中に、１つ以上の食品のための付属品、例えば、ソース又はドレッシング（例えば、ケチャップ、マスタード、バーベキューソース、ディップ等）及び／又は別の調味料を配置することができる。容器５は、本開示から逸脱することなく、他の形状及び配置とすることができ、同様の環境又は異なる環境で他の製品及び／又は物品を保持するために使用することができる。
【００１４】
図１に示すように、ブランク３は、横軸Ｌ１及び縦軸Ｌ２を有する。図示するように、ブランク３は、中心すなわちボトムパネル２３と、縦方向折り線２７においてボトムパネル２３に折り曲げ可能につながっている第１のサイドパネル２５と、縦方向折り線３１においてボトムパネル２３に折り曲げ可能につながっている第２のサイドパネル２９と、横方向折り線３５においてボトムパネル２３に折り曲げ可能につながっているフロントパネル３３（広範に、「複数のパネルのうちの１つのパネル」）と、横方向折り線４１においてボトムパネル２３に折り曲げ可能につながっているバックパネル３９とを含む。フロントパネル３３は、図示するように、その遠位縁部に近接して切取部４２を含む。本明細書にさらに記載するように、切取部４２によって中断されている横方向引き裂き線４７において、フロントパネル３３に区画パネル又は仕切りパネル４３が取り付けられており、仕切りパネル４３は、フロントパネル３３に分離可能につながっている。１つの実施形態では、引き裂き線４７は、フロントパネル３３に対する仕切りパネル４３の少なくとも部分的な折り曲げ可能なつながりを提供するが、仕切りパネル４３及びフロントパネル３３は、その１つ以上の部分において分離可能である。
【００１５】
図示するように、第１のフロントコーナーパネル５１及び第２のフロントコーナーパネル５３が、フロントパネル３３に、それぞれの斜め折り線５５、５７において折り曲げ可能につながっている。それぞれのコーナーパネル５１、５３に、第１のフロント端部フラップ５９及び第２のフロント端部フラップ６１が、それぞれの斜め折り線６３、６５において折り曲げ可能につながっている。同様に図示するように、第１のバック端部フラップ６７及び第２のバック端部フラップ６９が、バックパネル３９に、それぞれの斜め折り線７１、７３において折り曲げ可能につながっている。
【００１６】
図１をさらに参照すると、第１の仕切りコーナーパネル７５及び第２の仕切りコーナーパネル７７が、仕切りパネル４３に、それぞれの斜め折り線７９、８１においてそれぞれ折り曲げ可能につながっている。図示するように、それぞれのコーナーパネル７５、７７に、第１の仕切り端部フラップ８３及び第２の仕切り端部フラップ８５が、それぞれの逃がしスロット若しくは逃がし開口部又はスロット９１、９３によって中断されているそれぞれの斜め折り線８７、８９において折り曲げ可能につながっている。図示するように、遠位端部フラップ９５が、仕切りパネル４３に、逃がし開口部又は逃がしスロット９９、１０１によって中断されている横方向折り線９７において折り曲げ可能につながっている。
【００１７】
図２及び図３をさらに参照すると、本開示の１つの例示的な実施形態によるブランク３からの容器５の形成が示されている。図示するように、ブランク３は、外側１を下に向けて配置することができ、ブランク３の内面２は、上向きに面して位置決めされる。仕切りパネル４３がフロントパネル３３と少なくとも部分的に対面接触するように、それぞれのコーナー端部フラップ８３、８５が仕切りパネル４３とともに運ばれてそれぞれのフロント端部フラップ５９、６１と少なくとも部分的に対面接触して位置決めされるように、かつ、遠位端部フラップ９５が仕切りパネル４３とともに運ばれてボトムパネル２３と少なくとも部分的に対面接触して位置決めされるように、仕切りパネル４３を引き裂き線４７において矢印Ａ１の方向に折り曲げることができる。
【００１８】
その後、仕切りパネル４３と、サイドパネル２５、２９と、バックパネル３９とを、ボトムパネル２３に対して概して直立して位置決めされるように、それぞれの折り線９７、２７、３１、４１においてそれぞれの矢印Ａ１、Ａ２、Ａ３、Ａ４の方向に折り曲げることができる。また、仕切りパネル４３のこうした折り曲げによって、フロントパネル３３が、折り線４１において矢印Ａ１の方向に上向きに折れ曲がる。
【００１９】
同時に又はその後、重なり合うコーナー端部フラップ８３及びフロント端部フラップ５９と、重なり合うコーナー端部フラップ８５及びフロント端部フラップ６１とが、仕切りパネル４３／フロントパネル３３から離れて概して斜めに延在して、それぞれのサイドパネル２５、２９と少なくとも部分的に重なり合う関係になるように、それぞれの折り線８７、６３及び８９、６５においてそれぞれの矢印Ａ５、Ａ６の方向に折り曲げられる。こうした配置では、フロント端部フラップ８３、８５は、それぞれのサイドパネル２５、２９と少なくとも部分的に対面接触して位置決めされる。同様に、バック端部フラップ６７、６９は、バックパネル３９から離れて斜めに延在して、それぞれのサイドパネル２５、２９と少なくとも部分的に対面接触して位置決めされるように、それぞれの折り線７１、７３においてそれぞれの矢印Ａ７、Ａ８の方向に折り曲げられる。上述した配置は、接着剤、例えば糊によって維持することができる。
【００２０】
図３は、上述した折り曲げによって形成された容器５の第１のすなわち入れ子形態を示し、そこでは、容器５の第２の端部１５とは反対側である容器５の第１の端部１３において、仕切りパネル４３はフロントパネル３３と少なくとも部分的に対面接触している。こうした形態では、容器５のパネルは、別の容器の底部分を容器５の内部９に収納することができるように配置される。
【００２１】
例えば、図３に示す容器５の第１の形態は、例えば、パネル２５、２９、３３、４３、３９が、ボトムパネル２３に対して概して斜めに配置されるように、概してテーパー状の形態を有する。図示するように、ボトムパネル２３は、横軸Ｌ１に沿って幅Ｗ１（図１）を有し、ボトムパネル２３は、縦軸Ｌ２に沿って長さＤ１（図１）を有し、起立した容器５の開放頂部７の幅Ｗ２は、サイドパネル２５、２９の上縁部の間で画定され、起立した容器５の開放頂部７の長さＤ２は、フロントパネル３３及びバックパネル３９の上縁部の間で画定され、そこでは、Ｄ２＞Ｄ１及びＷ２＞Ｗ１である。１つの実施形態では、Ｄ１は約１７０ｍｍとすることができ、Ｗ１は約１２０ｍｍとすることができる。これに関して、複数の容器５を互いに入れ子にすることができるように、例えば、各容器５が、上の容器５を少なくとも部分的に収納することができ、及び／又は下の容器５に少なくとも部分的に収納され得るように、容器５にテーパー状の形態が与えられる。
【００２２】
図４を参照すると、容器５の第２のすなわち提供形態において、フロントパネル３３及び仕切りパネル４３のうちの一方又は両方の上縁部が少なくとも部分的に容器５の自由縁部であるように、引き裂き線４７において引き裂くことにより、仕切りパネル４３をフロントパネル３３から分離することができる。その後、例えば、切取部４２に隣接する使用者又は器具によるアクセスを介して、フロントパネル３３から仕切りパネル４３を引き離して、仕切りパネル４３を折り線９７において矢印Ａ９の方向に少なくとも部分的に折り曲げ、仕切りパネル４３がフロントパネル３３の後方に第２の位置まで少なくとも部分的に枢動するようにすることができる。こうした仕切りパネル４３の移動は、仕切りパネル４３が折り線９７を介してボトムパネル２３において枢動可能であるようにボトムパネル２３に遠位端部フラップ９５を取り付けることよって、少なくとも部分的に容易になる。仕切りパネル４３が第２の位置まで移動することにより、コーナーパネル７５、７７は、仕切りパネル４３及びフロントパネル３３のそれぞれに対して斜め配置に位置決めされるように、それぞれの折り線７９、８１において仕切りパネル４３に対して少なくとも部分的に折れ曲がることができる。
【００２３】
こうした容器５の提供配置は、１つの実施形態では、折り線６３、６５、８７、８９において又はその近くで容器５の側面を挟みこむか又は締め付けて、フロントパネル３３もまた、折り線３５において矢印Ａ１０の方向に少なくとも部分的に折り曲げられてフロント仕切りパネル４３から離れるように前方に枢動させることにより、達成することができる。こうしたフロントパネル３３の移動により、バックコーナーパネル５１、５３は、仕切りパネル４３及びフロントパネル３３のそれぞれに対して斜め配置で位置決めされるように、それぞれの折り線５５、５７においてフロントパネル３３に対して少なくとも部分的に折れ曲がることができる。さらに、容器５の上述した操作により、例えば、容器５がフロント端部１３に向かって少なくとも部分的にテーパー状になるように、サイドパネル２５、２９は互いに向かって少なくとも部分的に傾斜することができる。
【００２４】
フロントパネル３３及び仕切りパネル４３の上述した間隔が空けられた配置は、それらの間に区画１１を画定し、区画１１は、仕切りパネル４３及びコーナーパネル７５、７７によって容器５の内部９の残りの部分から分断される。これに関して、図４に容器５の第２の形態を示し、そこでは、区画１１は、仕切りパネル４３と、フロントパネル３３と、コーナーパネル５１、５３、７５、７７との間に画定されている。
【００２５】
区画１１は、例えば、容器５の内部９に１種以上のソース若しくは他の調味料を堆積させ、保存し、及び／又はそうしたソース若しくは他の調味料にアクセスするための好都合な場所を提供する。さらに、仕切りパネル４３及びコーナーパネル７５、７７は、区画４３と内部９の残りの部分との間の障壁を提供し、例えば、それにより、区画１１内に保存されたソース又は他の調味料が、容器５の内部９の残りの部分に保存された食品と混合しない。これに関して、１つの実施形態では、使用者は、容器５の内部９から１つ以上の食品を取り出し、その１つ以上の食品を区画４３内に少なくとも部分的に挿入して、例えば、食品を少し浸し及び／又は区画１１内に保存されたソース又は他の調味料をすくい取ることができる。区画１１について、容器５の内部９の一部として説明したが、区画１１を除く容器５の内部９を容器５の第１の区画とすることができ、区画１１を容器５の第２の区画とすることができることが理解されよう。
【００２６】
これに関して、容器５は、（例えば、仕切りパネル４３がフロントパネル３３と少なくとも部分的に面する関係にある）第１の形態と（例えば、間隔を空けて配置されたフロントパネル３３と仕切りパネル４３との間に区画１１が画定されている）第２の形態との間で、例えば、仕切りパネル４３を折り線９７において選択的に枢動させることにより、及び／又はフロントパネル３３を折り線３５において選択的に枢動させることにより、移行させることができる。本明細書に記載するように、区画１１を、仕切りパネル４３及びフロントパネル３３のいずれか又は両方の移動を介して形成することができることが理解されよう。
【００２７】
図５を参照すると、本開示の第２の例示的な実施形態による容器２０５（図６）を形成するブランク２０３が示されている。ブランク２０３／容器２０５は、本開示の第１の例示的な実施形態のブランク３／容器５と実質的に同様である１つ以上の部分を含み、同様の又は類似する特徴は、同様の又は類似する参照番号で示す。図示するように、それぞれの端部フラップ５９、６１及び８３、８５が、中間構造体がないか又は最小限の中間構造体により、それぞれの折り線６３、６５及び８７、８９においてそれぞれのフロントパネル３３及び仕切りパネル４３に折り曲げ可能につながるように、ブランク２０３は、コーナーパネル５１、５３、７５、７７をなくすことができる。
【００２８】
ブランク２０３は、第１の例示的な実施形態の容器５（図３）と実質的に同様である特徴を有するが、上述したようにそれぞれのコーナーパネル５１、５３、７５、７７がない容器となるように形成することができる。図６は、ブランク２０３から形成された容器２０５の第１のすなわち入れ子配置を示し、そこでは、仕切りパネル４３は、仕切りパネル４３がフロントパネル３３と少なくとも部分的に対面接触する第１の位置まで、折り線９７において前方に枢動させることができる。
【００２９】
容器２０５の第２のすなわち提供形態では、図７に示すように、仕切りパネル４３は、上述したように弱化線４７においてフロントパネル３３から分離することができ、仕切りパネル４３は、フロントパネル３３から間隔を空けて配置されるとともにそれらの間に区画２１１を形成するように、折り線９７において後方に枢動させることができる。仕切り端部フラップ８３、８５は、仕切りパネル４３とともに後方に運ばれるように、それぞれのフロント端部フラップ５９、６１の一部に沿って自由に摺動する。これに関して、フロント端部フラップ５９、６１は、仕切りパネル４３の所望の位置を越える後方移動を阻止するようにボトムパネル２３と接触する止め具又はリミッターとして作用することができる。容器２０５にはコーナーパネルがないため、仕切りフラップ４３は、第２の形態では、概して平坦な又は平面の形態のままである。ブランク２０３／容器２０５は、本開示から逸脱することなく異なる配置を有することができる。
【００３０】
図８を参照すると、本開示の第３の例示的な実施形態による容器３０５を形成するブランクが、全体として３０３で示されている。ブランク３０３及び容器３０５は、ブランク１０３／容器１０５及びブランク２０３の特徴と実質的に同様である１つ以上の特徴を有することができ、同様の又は類似する特徴は同様の又は類似する参照番号で示す。
【００３１】
図示するように、ブランク３０３は、容器３０５の第１の端部３１３における区画１１（広範に、「第１の区画」）とは反対側である容器３０５の第２の端部３１５に第２の区画３１１を形成する更なる特徴を含む。特に、ブランク３０３のバックパネル３９にバックコーナーパネル３５１、３５３がそれぞれの折り線３５５、３５７において折り曲げ可能につながるように、ブランク３０３のバックパネル３９にフロントパネル３３の実質的に同様の特徴を設けることができる。第２のもしくはバック仕切りパネル３４３は、切取部３４２によって中断されている横方向引き裂き線３４７において、バックパネル３９に折り曲げ可能に取り付けることができる。バック仕切りパネル３４３に、それぞれの第１のバック仕切りコーナーパネル３７５及び第２のバック仕切りコーナーパネル３７７が、それぞれの斜め折り線３７９、３８１において折り曲げ可能につながっており、バック仕切りパネル３４３に、仕切り端部フラップ３８３、３８５が、それぞれのスロット３９１、３９３によって中断されているそれぞれの斜め折り線３８７、３８９において折り曲げ可能につながっており、バック仕切りパネル３４３に、遠位端部フラップ３９５が、スロット３９８、３９９によって中断されている横方向折り線３９７において折り曲げ可能につながっている。
【００３２】
容器５に関して上述したものと実質的に同様な方法で、ブランク３０３を容器３０５となるように形成することができ、区画１１を形成する方法と実質的に同様の方法で、例えば、バック端部フラップ６７、６９がそれぞれのサイドパネル２５、２９と少なくとも部分的に対面接触して位置決めされるとともに、バックコーナー端部フラップ３８３、３８５がそれぞれのバック端部フラップ６７、６９と少なくとも部分的に対面接触して位置決めされるように、且つ、遠位端部フラップ３９５がボトムパネル２３と少なくとも部分的に対面接触して位置決めされるように、第２の区画３１１を形成する特徴を配置することができる。
【００３３】
図９に、ブランク３０３から形成されたこうした容器３０５の第１のすなわち入れ子配置を示し、そこでは、仕切りパネル４３（広範に、「第１の仕切りパネル」又は「フロント仕切りパネル」）は、フロント仕切りパネル４３がフロントパネル３３と少なくとも部分的に対面接触する第１の位置まで、折り線９７において前方に枢動し、バック仕切りパネル３４３は、バック仕切りパネル３４３がバックパネル３９と少なくとも部分的に対面接触する第１の位置まで、折り線３９７において後方に枢動している。
【００３４】
図１０に示すように、容器３０５の第２のすなわち提供形態では、フロント仕切りパネル４３は、上述したように、弱化線４７においてフロントパネル３３から分離して、第１の区画１１を形成することができ、またバック仕切りパネル３４３は、引き裂き線３４７においてバックパネル３９から分離するとともに、それぞれの折り線３９７において第２の位置まで前方に少なくとも部分的に折り曲げて、第２の区画３１１を形成することができる。バック仕切りパネル３４３のこうした移動は、バック仕切りパネル３４３がそれぞれの折り線３９７を介してボトムパネル２３において枢動可能であるようにボトムパネル２３に遠位端部フラップ３９５を取り付けることにより、少なくとも部分的に容易になる。フロントパネル３３もまた、第１の区画１１の形成の過程において折り線３５において前方に枢動させることができ、バックパネル３９は、第２の区画３１１の形成の過程において折り線４１において後方に枢動させることができる。
【００３５】
仕切りパネル３４３を第２の位置まで移動させることにより、コーナーパネル３７５、３７７が、それぞれの折り線３７９、３８１においてバック仕切りパネル３４３に対して少なくとも部分的に折れ曲がって、バック仕切りパネル３４３及びバックパネル３９のそれぞれに対して斜め配置で位置決めされるようにすることができる。
【００３６】
容器３０５のこうした提供形態は、１つの実施形態では、上述したように容器３０５の側面を折り線６３、６５、８７、８９において又はその近くで挟みこむか又は締め付けて第１の区画１１を形成することにより、且つ、容器３０５の側面を折り線７１、７３、３８７、３８９において又はその近くで挟みこむか又は締め付けて第２の区画３１１を形成することにより、達成することができる。
【００３７】
これに関して、容器３０５のそれぞれの反対側の端部３１３、３１５において、容器３０５に一対の区画１１、３１１を設けることができる。追加の区画３１１の存在により、容器３０５に、容器３０５の内部９に１種以上のソース若しくは他の調味料を堆積させ、保存し、及び／又はそうしたソース若しくは他の調味料にアクセスするための追加の場所を設けることができる。１つの実施形態では、区画３１１は、区画１１における調味料とは異なる１種以上の調味料を収納することができる。１つの実施形態では、区画１１、３１１を除く容器３０５の内部９を容器３０５の第１の区画とすることができ、区画１１を容器３０５の第２の区画とすることができ、区画３１１を容器３０５の第３の区画とすることができる。
【００３８】
図１１を参照すると、本開示の第４の例示的な実施形態による容器４０５を形成するブランクが、全体として４０３で示されている。ブランク４０３及び容器４０５は、ブランク３／容器５の特徴と実質的に同様である１つ以上の特徴を有することができ、同様の又は類似する特徴は同様の又は類似する参照番号で示す。
【００３９】
図示するように、ブランク４０３は、それぞれの縦方向折り線４６３、４６５においてフロントパネル４３に折り曲げ可能につながっているフロント端部フラップ４５９、４６１と、それぞれの縦方向折り線４７１、４７３においてバックパネル３９に折り曲げ可能につながっているバック端部フラップ４６７、４６９とを含む。仕切りパネル４３に、仕切り端部フラップ４８３、４８５が、それぞれの縦方向スロット４９１、４９３によって中断されているそれぞれの縦方向折り線４８７、４８９において折り曲げ可能につながっている。端部フラップ４５５、４５７、４６７、４６９、４８３、４８５のそれぞれは、第１の例示的な実施形態のそれぞれの端部フラップ５９、６１、６７、６９とは異なる形状を有することができる。１つの実施形態では、端部フラップ４５９、４６１、４６７、４６９、４８３、４８５のうちの１つ以上は、正方形又は矩形形状を有することができる。
【００４０】
さらに、サイドパネル２５のそれぞれの端部分４２０、４２２を画定するように、折り線２７、３５の交差部からサイドパネル２５の自由縁部まで斜め折り線４１６が延在することができ、折り線２７、４１の交差部からサイドパネル２５の自由縁部まで斜め折り線４１８が延在することができる。同様に図示するように、サイドパネル２９のそれぞれの端部分４２８、４３０を画定するように、折り線３１、３５の交差部からサイドパネル２９の自由縁部まで斜め折り線４２４が延在することができ、折り線３１、４１の交差部からサイドパネル２９の自由縁部まで斜め折り線４２６が延在することができる。
【００４１】
図１２及び図１３をさらに参照すると、本開示の１つの例示的な実施形態による、ブランク４０３からの容器４０５の形成が示されている。図示するように、ブランク４０３は、外面１を下に向けて配置することができ、ブランク４０３の内面２は上向きに面するように位置決めされる。サイドパネル２５、２９は、それぞれの折り線２７、３１においてそれぞれの矢印Ａ１１、Ａ１２の方向に、ボトムパネル２３と少なくとも部分的に対面接触するように折り曲げることができる。
【００４２】
同様に又はその後、それぞれのサイドパネル２５、２９のそれぞれの端部分４２０、４２２及び端部分４２８、４３０は、それぞれの折り線４１６、４１８及び４２４、４２６においてそれぞれの矢印Ａ１３、Ａ１４及び矢印Ａ１５、Ａ１６の方向に、それぞれのサイドパネル２５、２９の隣接する部分の外側部分と少なくとも部分的に対面接触するように折り曲げることができる。
【００４３】
仕切りパネル４３がフロントパネル３３と少なくとも部分的に対面接触するように、それぞれのコーナー端部フラップ４８３、４８５が、仕切りパネル４３とともに運ばれてそれぞれのフロント端部フラップ４５９、４６１と少なくとも部分的に対面接触して位置決めされるように、且つ、遠位端部フラップ９５が、仕切りパネル４３とともに運ばれてボトムパネル２３と少なくとも部分的に対面接触して位置決めされるように、仕切りパネル４３を引き裂き線４７において矢印Ａ１７の方向に折り曲げることができる。
【００４４】
同時に又はその後、端部フラップ４５９、４６１がそれぞれの端部分４２０、４２８と少なくとも部分的に対面接触して位置決めされるように、重なり合った端部フラップ４５９、４８３及び端部フラップ４８５、４６１を、それぞれの重なり合った折り線４６３、４８７及び折り線４６５、４８９においてそれぞれの矢印Ａ１８、Ａ１９の方向に折り曲げることができ、端部フラップ４６７、４６９は、それぞれの折り線４７１、４７３においてそれぞれの矢印Ａ２０、Ａ２１の方向にバックパネル３９と少なくとも部分的に対面接触するように折り曲げることができる。バックパネル３９がボトムパネル２３と少なくとも部分的に対面接触して位置決めされるように、且つ、端部フラップ４６７、４６９が、それぞれのサイドパネル２５、２９のそれぞれの端部分４２２、４３０と少なくとも部分的に対面接触するように運ばれるように、バックパネル３９もまた、折り線４１において矢印Ａ２４の方向に折り曲げることができる。
【００４５】
上述した折り曲げにより、図１４に示す容器４０５の折り畳み形態がもたらされ、そこでは、容器４０５の内部９は最小化され、容器４０５は、例えば、複数の折り畳まれた容器４０５を保管、輸送等のために省スペース配置で積み重ねることができるように提供することができる、概して平坦な外形を有する。
【００４６】
さらに図１５を参照すると、容器４０５は、折り畳み形態と起立形態との間で形態を変えることができ、起立形態では、フロントパネル３３、仕切りパネル４３、サイドパネル２５、２９、バックパネル３９及び端部フラップ４５９、４６１、４８３、４８５、４６７、４６９は、容器４０５の内部９が拡張されるように、ボトムパネル２３に対して概して直立して位置決めされる。１つの実施形態では、容器４０５の起立形態において、端部分４２０、４２２及び端部分４２８、４３０は、それぞれのサイドパネル２５、２９の隣接する部分と概して同一平面関係にすることができる。別の実施形態では、容器４０５の起立形態において、端部分４２０、４２２及び端部分４２８、４３０は、それぞれのサイドパネル２５、２９の隣接する部分と概して斜めの関係にすることができる。したがって、折り畳み形態から起立形態への容器４０５のこうした移行は、小売店に対して容易に、例えば、手で又は最小限の機械操作を用いることにより、提供される。
【００４７】
図１５に、容器４０５の第１のすなわち入れ子配置を示し、そこでは、フロント仕切りパネル４３は、フロント仕切りパネル４３がフロントパネル３３と少なくとも部分的に対面接触する第１の位置まで、折り線９７において前方に枢動している。
【００４８】
図１６に示すように、容器４０５の第２のすなわち提供形態では、上述したように、弱化線４７においてフロント仕切りパネル４３をフロントパネル３３から分離して、上述したように、容器４０５の第２の端部４１５とは反対側の容器４０５の第１の端部４１３において区画１１を形成することができる。
【００４９】
図１７を参照すると、本開示の第５の例示的な実施形態による容器５０５を形成するブランクが全体として５０３で示されている。ブランク５０３及び容器５０５は、上述したブランク３０３／容器３０５及びブランク４０３／容器４０５の特徴と実質的に同様である１つ以上の特徴を有することができ、同様の又は類似する特徴は同様の又は類似する参照番号で示す。
【００５０】
特に、ブランク５０３は、本開示の第４の例示的な実施形態に関して上述したように、それぞれのサイドパネル２５、２９のそれぞれの端部分４２０、４２２及び端部分４２８、４３０を画定する折り線４１６、４１８、４２４、４２６を含む。
【００５１】
さらに、ブランク５０３は、容器３０５の第１の端部５１３における区画１１（広範に、「第１の区画」）とは反対側である容器３０５の第２の端部５１５において、第２の区画５１１を形成する更なる特徴を含む。第２の区画５１１を形成する特徴は、本開示の第３の例示的な実施形態の容器３０５の第２の区画３１１を形成する特徴と同様であるが、バックパネル３９に、それぞれの第１のバック端部フラップ５６７及び第２のバック端部フラップ５６９が、それぞれの縦方向折り線５７１、５７３において折り曲げ可能につながっており、バック仕切りパネル３４３に、仕切り端部フラップ５８３、５８５が、それぞれのスロット５９１、５９３によって中断されているそれぞれの縦方向折り線５８７、５８９において折り曲げ可能につながっているという点が異なる。端部フラップ５６７、５６９、５８３、５８５は、図示するように、それぞれの端部フラップ４５９、４６１、４８３、４８５と同様である形状を有する。
【００５２】
これに関して、ブランク５０３は、上述した容器３０５と実質的に同様の特徴、例えば、第１の区画１１及び第２の区画５１１を有するように、容器５０５に形成することができ、ブランク４０３／容器４０５に関して上述した方法と同様に折り曲げることができる。
【００５３】
例えば、容器５０５の折り畳み形態では、サイドパネル２５、２９は、ボトムパネル２３と少なくとも部分的に対面接触して位置決めされ、端部分４２０、４２２及び端部分４２８、４３０は、それぞれのサイドパネル２５、２９の外側部分と少なくとも部分的に対面接触して位置決めされ、端部フラップ４５９、４６１、５６７、５６９は、それぞれの端部分４２０、４２８、４２２、４３０と少なくとも部分的に対面接触しており、端部フラップ４８３、４８５、５８３、５８５は、それぞれの端部フラップ４５９、４６１、５６７、５６９と少なくとも部分的に対面接触しており、仕切りフラップ９５、３９５は、ボトムパネル２３と少なくとも部分的に対面接触しており、フロントパネル３３及びバックパネル３９は、それぞれの仕切りパネル４３、３４３と少なくとも部分的に対面接触している。
【００５４】
さらに図１８を参照すると、容器５０５は起立形態に移行することができ、そこでは、容器４０５に関して上述したように、フロントパネル３３、フロント仕切りパネル４３、サイドパネル２５、２９、バックパネル３９、バック仕切りパネル３４３及び端部フラップ４５９、４６１、４８３、４８５、５６７、５６９、５８３、５８５は、フロントパネル３３、サイドパネル２５、２９及びバックパネル３９を起こすことによって、ボトムパネル２３に対して概して直立に位置決めされる。
【００５５】
図１８に、容器５０５の第１のすなわち入れ子配置を示し、そこでは、フロント仕切りパネル４３は、折り線９７において、フロント仕切りパネル４３がフロントパネル３３と少なくとも部分的に対面接触する第１の位置まで前方に枢動しており、バック仕切りパネル３４３は、折り線３９７において、バック仕切りパネル３４３がバックパネル３９と少なくとも部分的に対面接触する第１の位置まで後方に枢動している。
【００５６】
図１９に示すように、容器５０５の第２のすなわち提供形態では、上述したように、弱化線４７においてフロント仕切りパネル４３をフロントパネル３３から分離して、区画１１を形成することができ、上述したように、引き裂き線３４７においてバック仕切りパネル３４３をバックパネル３９から分離して、区画５１１を形成することができる。
【００５７】
図２０を参照すると、本開示の第６の例示的な実施形態による容器６０５を形成するブランクが、概して６０３で示されている。ブランク６０３及び容器６０５は、ブランク３／容器５の特徴と実質的に同様である１つ以上の特徴を有することができ、同様の又は類似する特徴は同様の又は類似する参照番号で示す。図示するように、ブランク６０３は、縦軸ＬＸ及び横軸ＬＹを有する。
【００５８】
ブランク６０３のパネル２３、２５、２９、３３、３９、４３、５１、５３、７５、７７及びフラップ５９、６１、６７、６９、８３、８５、９５は、容器６０５のトレー６０６を形成するブランク６０３のトレー部分６０４を形成し、トレー６０６は、上述した容器５の特徴と実質的に同様の特徴を有する。しかしながら、ブランク６０３／容器６０５において、パネル３３は、第１のトレーサイドパネル３３（広範に、「フロントパネル」）であり、パネル３９は、第２のトレーサイドパネル３９（広範に、「バックパネル」）であり、パネル２９は、トレーフロントパネル２９（広範に、「第２のサイドパネル」）であり、パネル２５は、トレーバックパネル２５（広範に、「第１のサイドパネル」）である。
【００５９】
同様に図示するように、トレー係止フラップ６３２は、本明細書においてさらに記載するように、容器６０５の係止特徴部を収納するための係止開口部６３７を画定する弓形切れ目６３６によって中断されている横方向折り線６３４において、トレーフロントパネル２９に折り曲げ可能につながっている。
【００６０】
図２０をさらに参照すると、ブランク６０３はまた、トレー部分６０４／トレー６０６にヒンジ式につながっている容器６０５の蓋６１０を形成する蓋部分６０８も含む。図示するように、ブランク６０３の蓋部分６０８は、トップパネル６３８と、横方向折り線６４２においてトップパネル６３８に折り曲げ可能につながっている蓋フロントパネル６４０と、それぞれの縦方向折り線６４８、６５０においてトップパネル６３８に折り曲げ可能につながっている第１の蓋サイドパネル６４４及び第２の蓋サイドパネル６４６と、横方向折り線６５４においてトップパネル６３８に折り曲げ可能につながっている蓋バックパネル６５２とを含む。本明細書においてさらに記載するように、係止特徴部、例えばロック６６０を画定する弓形切れ目６５９によって中断されている横方向折り線６５８において、蓋フロントパネル６４０に蓋係止フラップ６５６が折り曲げ可能につながっており、係止特徴部は、蓋部分６０８／蓋６１０から突出するとともに、容器６０５を閉鎖形態で固定するためにトレー６０６の係止開口部６３７内に収納されるためのものである。
【００６１】
同様に図示するように、蓋サイドパネル６４４に蓋端部フラップ６６２、６６４がそれぞれの斜め折り線６６８、６７０において折り曲げ可能につながっており、蓋サイドパネル６４６に蓋端部フラップ６７２、６７４がそれぞれの斜め折り線６７６、６７８において、折り曲げ可能につながっている。
【００６２】
蓋バックパネル６５２は、蓋部分６０８／蓋６１０が折り線６７９においてトレー部分６０４／トレー６０６に折り曲げ可能につながるように、横方向折り線６７９においてトレーバックパネル２５に折り曲げ可能につながっている。
【００６３】
さらに図２１を参照すると、ブランク６０３のトレー部分６０４は、容器５に関して上述した方法と同様の方法で、容器６０５のトレー６０６になるように形成することができる。さらに、ブランク６０３の蓋部分６０８は、同様の方法で、例えば、蓋パネル６４０、６４４、６４６、６５２が、例えばトップパネル６３８から離れるように延在して、概して直立しているように、それぞれの折り線６４２、６４８、５６０、６５４において折り曲げられるようにして、蓋６０６になるように形成することができる。蓋端部フラップ６６２、６７２が直立した蓋フロントパネル６４０の内面と概して対面接触して位置決めされるように、且つ、蓋端部フラップ６６４、６７４が直立した蓋バックパネル６５２の内面と概して対面接触して位置決めされるように、端部フラップ６６２、６６４、６７２、６７４もまた、それぞれの折り線６６８、６７０、６７６、６７８において折り曲げることができる。
【００６４】
したがって、図２１では、容器６０５の内部６０９が、例えば食品を装填するか又は取り出すためにアクセス可能であるように、蓋６１０がトレー６０６の上方に且つトレー６０６から離れるように持ち上げられるような、組み立てられた容器６０５の開放形態を示す。容器６０５の区画１１を形成する特徴に関して、図２１には第１の形態を示し、そこでは、仕切りパネル４３は、仕切りパネル４３がトレーサイドパネル３３と少なくとも部分的に対面接触する第１位置まで、折り線９７において枢動している。
【００６５】
図２２をさらに参照すると、第２の形態では、上述したように弱化線４７において仕切りパネル４３をトレーサイドパネル３３から分離して、区画１１を形成することができる。
【００６６】
さらに図２３を参照すると、例えば、蓋６１０がトレー６０６と係合するように、且つ、容器６０５の内部６０９がトレー６０６及び蓋６１０によって少なくとも部分的に包囲されるように、折り線６７９において蓋６１０をトレー６０６に向かってヒンジ式に下ろすことにより、容器６０５は、閉鎖形態に配置することができる。容器６０５の閉鎖形態では、係止開口部６３７がロック６６０を収納するように位置決めされるように、トレー係止フラップ６３２を折り線６３４においてトレー６０６の内部に向かって折り曲げることができる。蓋係止フラップ６５６は、例えば、顧客又は小売店によって、ロック６６０のこうした位置決めを達成するように、折り線６３４における蓋係止フラップ６５６の折り曲げを介して、関節運動させることができる。これに関して、容器６０５を閉鎖形態で解除可能に維持するために、係止開口部６３７内にロック６６０を少なくとも部分的に挿入することができる。ロック６６０は、蓋６１０及びトレー６０６の係合を促進するように係止開口部６３６に隣接するトレー６０６の部分と係合する１つ以上の係合特徴部、例えば、突起、縁部、切欠き等を含むことができる。
【００６７】
概して、本明細書に記載のブランクは、通常の紙よりも重く硬質であるような厚さを有する厚紙で作成してもよい。ブランクは、ボール紙、プラスチックシート等の他の材料、又は容器が少なくとも概して上述したように機能することができるようにするのに適した特性を有する任意の他の材料で作成することもできる。ブランクは、例えばクレーコーティングでコーティングすることができる。続いて、クレーコーティング上に物体、広告、及び他の情報又は画像を印刷してもよい。続いて、ブランクに印刷されている情報を保護するように、ブランクをワニスでコーティングすることができる。ブランクは、ブランクの片面又は両面を、例えば防湿層でコーティングすることもできる。ブランクは、選択されたパネル又はパネルセクションに１つ以上のシート状材料を積層又はコーティングすることもできる。
【００６８】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組合せを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００６９】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料に部分的に入れ込んだ一連の切れ目及び／又は材料を完全に貫通する一連の切れ目、並びにこれらの機能部の種々の組合せを含む。折り線を形成するのに切れ目付けが用いられる状況において、切れ目付けは通常、分別のあるユーザーが折り線を誤って引き裂き線とみなす可能性があるように過度には深くない。
【００７０】
上記実施形態は、容器実施形態の組み立て中に糊によって合わせて接着される１つ以上のパネルを有するものとして説明されている場合がある。「糊」という用語は、容器パネルを適所に固定するために一般的に使用される全ての態様の接着剤を包含するように意図されており、熱接着技法、化学接着技法又は周波数接着技法を排除するようには意図されていない。
【００７１】
本開示の前述の説明は、種々の実施形態を例示及び説明する。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、上述の実施形態の種々の変更形態、組合せ、変形形態等をカバーする。加えて、本開示は、選択された実施形態のみを図示及び説明しているが、種々の他の組合せ、変更形態、及び環境が、本明細書で表されるように本開示の範囲内にあり、上記教示と同等であり、及び／又は関連技術分野の技術若しくは知識内にある。さらに、各実施形態の或る特定の機能部及び特徴を、選択的に入れ替えて、本開示の他の説明された実施形態及び説明されていない実施形態に適用することができる。
【図１】
2021533042.tif 000003
【図２】
2021533042.tif 000004
【図３】
2021533042.tif 000005
【図４】
2021533042.tif 000006
【図５】
2021533042.tif 000007
【図６】
2021533042.tif 000008
【図７】
2021533042.tif 000009
【図８】
2021533042.tif 000010
【図９】
2021533042.tif 000011
【図１０】
2021533042.tif 000012
【図１１】
2021533042.tif 000013
【図１２】
2021533042.tif 000014
【図１３】
2021533042.tif 000015
【図１４】
2021533042.tif 000016
【図１５】
2021533042.tif 000017
【図１６】
2021533042.tif 000018
【図１７】
2021533042.tif 000019
【図１８】
2021533042.tif 000020
【図１９】
2021533042.tif 000021
【図２０】
2021533042.tif 000022
【図２１】
2021533042.tif 000023
【図２２】
2021533042.tif 000024
【図２３】
2021533042.tif 000025
【国際調査報告】
2021533042.tif 000026
2021533042.tif 000027